(57)【要約】【課題】後処理設定情報の調整を容易に行えるようにする。【解決手段】本発明の一側面の画像形成装置は、記録紙に画像を形成する画像形成部１４と、画像形成部１４で画像が形成された記録紙に対して後処理装置が行う、断裁を含む後処理の設定情報である後処理設定情報１１１を記憶する記憶部１１０と、画像形成部１４による、後処理設定情報が適用された印刷ジョブに基づく試し印刷の実施に際して、後処理設定情報に含まれる設定項目のうちの一部の設定項目を表示部１２の調整画面に表示させる制御を行う表示制御部１５０と、を備える。【選択図】図２
2020121447.tif 000002
【特許請求の範囲】
【請求項１】
記録紙に画像を形成する画像形成部と、
前記画像形成部で画像が形成された記録紙に対して後処理装置が行う、断裁を含む後処理の設定情報である後処理設定情報を記憶する記憶部と、
前記画像形成部による、前記後処理設定情報が適用された印刷ジョブに基づく試し印刷の実施に際して、前記後処理設定情報に含まれる設定項目のうちの一部の設定項目を表示部の調整画面に表示させる制御を行う表示制御部と、を備える
画像形成装置。
【請求項２】
前記表示制御部は、前記一部の設定項目の前記調整画面への表示を、前記試し印刷の実行中又は前記試し印刷の実行後に行う
請求項１に記載の画像形成装置。
【請求項３】
前記表示制御部は、前記後処理設定情報が適用された印刷ジョブに基づく本印刷が完了していない場合、前記後処理設定情報に含まれる全ての設定項目を前記調整画面に表示させる制御を行う
請求項２に記載の画像形成装置。
【請求項４】
前記表示制御部は、前記後処理設定情報が適用された印刷ジョブに基づく本印刷が完了している場合、前記後処理設定情報に含まれる設定項目のうち、前記記録紙に形成される画像の、前記記録紙の搬送方向と直交する方向に平行な辺のうちの一方の辺である第１の辺の位置を調整する設定項目、及び、前記第１の辺と直交する辺である第２の辺の位置を調整する設定項目を前記調整画面に表示させる制御を行う
請求項２又は３に記載の画像形成装置。
【請求項５】
画像が形成された記録紙に対して後処理装置が行う、断裁を含む後処理の設定情報である後処理設定情報を記憶する記憶部と、
前記記録紙に画像を形成する画像形成装置による、前記後処理設定情報が適用された印刷ジョブに基づく試し印刷の実施に際して、前記後処理設定情報に含まれる設定項目のうちの一部の設定項目を表示部の調整画面に表示させる制御を行う表示制御部と、を備える
情報処理装置。
【請求項６】
記録紙に画像を形成する手順と、
画像が形成された記録紙に対して後処理装置が行う、断裁を含む後処理の設定情報である後処理設定情報を管理する手順と、
前記後処理設定情報が適用された印刷ジョブに基づく試し印刷の実施に際して、前記後処理設定情報に含まれる設定項目のうちの一部の設定項目を表示部の調整画面に表示させる制御を行う手順と、を含む
表示制御方法。
【請求項７】
記録紙に画像を形成する手順と、
画像が形成された記録紙に対して後処理装置が行う、断裁を含む後処理の設定情報である後処理設定情報を管理する手順と、
前記後処理設定情報が適用された印刷ジョブに基づく試し印刷の実施に際して、前記後処理設定情報に含まれる設定項目のうちの一部の設定項目を表示部の調整画面に表示させる手順と、をコンピュータに実行させるための
プログラム。
【発明の詳細な説明】
【技術分野】
【０００１】
本発明は、画像形成装置、情報処理装置、表示制御方法及びプログラムに関する。
【背景技術】
【０００２】
従来、後処理装置の設定情報である後処理プロファイル（後処理設定情報）では、画像のサイズ、断裁位置、クリースやミシン目の形成位置などの各種設定項目が管理される。これらの設定項目の設定値は、例えばｍｍ単位で調整が可能である。ユーザーは、実施したい後処理の設定項目の設定値を調整することにより、印刷物に対する後処理の仕上がりを、自分の好みのものとすることができる。
【０００３】
しかし、同じ後処理設定情報を用いて後処理が行われた場合でも、画像形成装置又は後処理装置の機種等によっては、後処理の仕上がりが異なる場合がある。後処理の仕上がりが望んだものと異なる場合、ユーザーは、後処理設定情報の設定内容を、調整画面等を通して修正することができる。
【０００４】
例えば、特許文献１には、各機器に対してユーザーによって微調整が行われた設定項目及び調整量の情報をＪＤＦ（Job Definition Format）に登録しておき、該ＪＤＦを再印刷の際にも使えるように、ファイル保管マネージャでＪＤＦを保持する技術が開示されている。
【先行技術文献】
【特許文献】
【０００５】
【特許文献１】特開２００９−２７１７９３号公報
【発明の概要】
【発明が解決しようとする課題】
【０００６】
しかしながら、後処理が施された印刷物の仕上がりを見て、後処理設定情報の設定項目の設定値を調整する場合にも、ユーザーは、様々な設定項目のうちの、どの設定項目を調整すればよいのかを判断し辛いという課題があった。
【０００７】
本発明はこのような状況に鑑みてなされたものであり、本発明の目的は、後処理設定情報の調整を容易に行えるようにすることにある。
【課題を解決するための手段】
【０００８】
上記課題を解決するため、本発明の一側面を反映した画像形成装置は、記録紙に画像を形成する画像形成部と、画像形成部で画像が形成された記録紙に対して後処理装置が行う、断裁を含む後処理の設定情報である後処理設定情報を記憶する記憶部と、画像形成部による、後処理設定情報が適用された印刷ジョブに基づく試し印刷の実施に際して、後処理設定情報に含まれる設定項目のうちの一部の設定項目を表示部の調整画面に表示させる表示制御部と、を備える。
【発明の効果】
【０００９】
本発明によれば、設定画面に表示される設定項目が一部に絞られるため、ユーザーは、後処理設定情報の調整を容易に行えるようになる。なお、上記した以外の課題、構成及び効果は、以下の実施形態の説明により明らかにされる。
【図面の簡単な説明】
【００１０】
【図１】本発明の第１の実施形態に係る画像形成システムの概要構成図である。
【図２】本発明の第１の実施形態に係る画像形成装置の制御系の構成例を示すブロック図である。
【図３】本発明の第１の実施形態に係る後処理装置で行われる後処理の種類の例を示す表である。
【図４】本発明の第１の実施形態に係る後処理プロファイル作成画面の例を示す図である。
【図５】本発明の第１の実施形態に係るジョブリスト画面の例を示す図である。
【図６】本発明の第１の実施形態に係る出力方法選択画面の例を示す図である。
【図７】本発明の第１の実施形態に係る本印刷未完了時に表示される調整画面の例を示す図である。
【図８】本発明の第１の実施形態に係る本印刷完了時に表示される調整画面の例を示す図である。
【図９】本発明の第１の実施形態に係る後処理プロファイルの設定項目における先端位置及び上端位置を説明する図である。
【図１０】本発明の第１の実施形態に係る画像形成装置による表示制御方法の手順の例を示すフローチャートである。
【図１１】本発明の第１の実施形態に係る画像形成装置による表示制御方法の手順の例を示すフローチャートである。
【図１２】本発明の第１の実施形態に係る画像形成装置による表示制御方法の手順の例を示すフローチャートである。
【図１３】本発明の第１の実施形態に係る画像形成装置による表示制御方法の手順の例を示すフローチャートである。
【図１４】本発明の第１の実施形態に係る画像形成装置による表示制御方法の手順の例を示すフローチャートである。
【図１５】本発明の第２の実施形態に係る印刷システムの概要構成図である。
【図１６】本発明の第２の実施形態に係る印刷指示装置の制御系の構成例を示すブロック図である。
【図１７】本発明の第２の実施形態に係る印刷システムによる表示制御方法の手順の例を示すフローチャートである。
【図１８】本発明の第２の実施形態に係る印刷システムによる表示制御方法の手順の例を示すフローチャートである。
【図１９】本発明の第２の実施形態に係る印刷システムによる表示制御方法の手順の例を示すフローチャートである。
【発明を実施するための形態】
【００１１】
以下、本発明を実施するための形態例について、添付図面を参照して説明する。本明細書及び図面において、実質的に同一の機能又は構成を有する構成要素は、同一の符号を付し、構成要素の重複説明は省略する。まず、各種実施形態の構成例を説明する前に、本発明で解決する上記課題について、より具体的に説明する。
【００１２】
＜第１の実施形態＞
［画像形成システムの構成］
まず、図１を参照して、本発明の第１の実施形態に係る画像形成システムの構成例について説明する。図１は、本発明の第１の実施形態に係る画像形成システム１の概要構成図である。
【００１３】
図１に示す画像形成システム１は、画像形成装置１０及び後処理装置２０を備える。
まず、画像形成装置１０の構成を説明する。画像形成装置１０は、図１に示すように、スキャナ部１１、操作表示部１２、給紙トレイ１３及びプリンタ部１４（画像形成部の一例）等を備える。
【００１４】
スキャナ部１１は、原稿給紙台上に配置された原稿から画像を光学的に読み取り、読み取った画像をＡ／Ｄ変換して画像データ（スキャンデータ）を生成する。
【００１５】
操作表示部１２は、液晶パネル等からなる表示部、及び、タッチセンサ等からなる操作部で構成され、表示部及び操作部はタッチパネルとして一体に形成される。なお、操作部をマウスやタブレットなどで構成することにより、操作部と表示部とをそれぞれ別体で構成してもよい。
【００１６】
操作表示部１２は、操作部に入力されたユーザーからの操作の内容を表す操作信号を生成し、該操作信号を制御部１００（図２参照）に供給する。例えば、ユーザーより、画像形成処理の開始を指示する操作が入力された場合には、操作表示部１２は、画像形成処理を開始させる信号を生成して、制御部１００に供給する。また、操作表示部１２は、表示制御部１５０の制御に基づいて、表示部に、印刷ジョブに適用された後処理設定プロファイル（後処理設定情報の一例）を調整可能な調整画面等を表示する。
【００１７】
給紙トレイ１３は、プリンタ部１４で画像形成が行われる用紙Ｓｈを収容する容器である。給紙トレイ１３から給紙された用紙Ｓｈは、搬送路Ｐを通ってプリンタ部１４に搬送される。
【００１８】
プリンタ部１４は、イエロー、マゼンタ、シアン、ブラックの各色のトナー画像を形成するための、４つの画像形成ユニット１５Ｙ，１５Ｍ，１５Ｃ及び１５Ｋを備える。画像形成ユニット１５Ｙ，１５Ｍ，１５Ｃ及び１５Ｋはそれぞれ、帯電部、ＬＥＤ書き込みユニット（レーザ光源）（いずれも図示略）、感光体ドラム及び現像部を備える。現像部は、感光体ドラムの表面（外周部）に潜像を形成するとともに、該潜像に不図示の現像器から供給されたトナーを付着させる。これにより、感光体ドラム上にトナー画像が形成される。
【００１９】
また、プリンタ部１４は、中間転写ベルト１６、２次転写部１７及び定着部１８を備える。中間転写ベルト１６は、各色の感光体ドラムに形成された各トナー画像が一次転写されるベルトである。２次転写部１７は、中間転写ベルト１６上に１次転写された各色のトナー画像を、搬送路Ｐ上を搬送された用紙Ｓｈに２次転写するローラである。
【００２０】
定着部１８は、２次転写部１７で用紙Ｓｈに転写されたトナー画像を、用紙Ｓｈ上に定着させる定着処理を行う。定着部１８によってトナー画像が定着された用紙Ｓｈは、搬送路Ｐ上を搬送されて後処理装置２０に送られる。
【００２１】
次に、後処理装置２０の構成について説明する。後処理装置は、ＦＤ断裁部２１、第２後処理部２２、第３後処理部２３、ＣＤ断裁部２４及び排紙トレイ２５等を備える。
【００２２】
ＦＤ断裁部２１は、画像形成装置１０から搬送された用紙Ｓｈを、用紙搬送方向（以下、「ＦＤ（Feed Direction）方向」とも称する）に裁断する処理、及び、用紙Ｓｈに対してＦＤ方向のスリット（天地スリット）を形成する処理を行う。第２後処理部２２は、クリース部２２１及びＣＤミシン部２２２を備える。クリース部２２１は、用紙Ｓｈに折り目（クリース）を形成する処理を行う。ＣＤミシン部２２２は、用紙Ｓｈに対して、ＦＤ方向と直交する方向（以下、「ＣＤ（Cross Direction）方向」とも称する）にミシン目を形成する処理を行う。
【００２３】
第３後処理部２３は、ＦＤミシン部２３１及びドブ断スリット部２３２を備える。ＦＤミシン部２３１は、用紙Ｓｈに対して、ＦＤ方向にミシン目を形成する処理を行う。ドブ断スリット部２３２は、用紙ＳｈのＦＤ方向のドブ断ちを行う。ＣＤ断裁部２４は、用紙ＳｈをＣＤ方向に裁断する処理を行う。排紙トレイ２５は、画像形成装置１０で画像が形成された用紙が排出されるトレイである。
【００２４】
本実施形態に係る画像形成システム１では、断裁の機能を有する後処理装置２０が画像形成装置１０の後段に接続されるため、用紙Ｓｈへの画像形成から後処理までの一連の処理を、画像形成システム１によって実現することができる。
【００２５】
例えば、従来の画像形成装置１０と断裁機とが接続されていないシステムにおいては、用紙Ｓｈへの画像形成から後処理までの処理は、以下の手順が必要となる。
【００２６】
（１）ユーザーが画像形成装置１０の設定を行う。
（２）画像形成装置１０が用紙に画像を形成し、画像が形成された用紙を出力する。
（３）画像形成装置１０から出力された出力物（用紙）を、ユーザーが断裁機に移動させる。
（４）ユーザーが断裁機の設定を行う。
（５）断裁機で試し断裁を実行する。
（５′）試し断裁の結果に基づいて、ユーザーが断裁機の再設定を行う。
（６）断裁機で断裁を実行する。
【００２７】
これに対して、本実施形態に係る画像形成システム１では、以下の手順により、用紙Ｓｈへの画像形成から、断裁を含む後処理までの一連の処理が実現される。
（１）ユーザーが、画像形成装置１０の設定、及び、断裁機能を有する後処理装置２０の設定（後処理プロファイルの設定）を行う。
（２）画像形成装置１０及び後処理装置２０を含む画像形成システム１が試し印刷を実行する。
（２′）試し印刷の結果に基づいて、ユーザーが画像形成装置１０の再設定、及び／又は、後処理装置２０の再設定を行う。
（３）画像形成システム１が本印刷及び断裁を行う。
【００２８】
つまり、本実施形態によれば、画像形成装置１０から出力された出力物をユーザーが断裁機まで運んでセットする手間が節減される。
【００２９】
［画像形成装置の制御系の構成例］
次に、図２を参照して、画像形成システム１に含まれる画像形成装置１０の制御系の構成例について説明する。図２は、画像形成装置１０の制御系の構成例を示すブロック図である。
【００３０】
図２に示すように、画像形成装置１０は、制御部１００、記憶部１１０、ネットワークＩ／Ｆ部１２０、後処理装置Ｉ／Ｆ部１３０、スキャナ部１１、操作表示部１２、プリンタ部１４、ファックス部１４０及び表示制御部１５０等を備える。
【００３１】
制御部１００は、ＣＰＵ（Central Processing Unit）１０１、ＲＯＭ（Read Only Memory）１０２及びＲＡＭ（Random Access Memory）１０３等を備える。
【００３２】
ＣＰＵ１０１は、画像形成装置１０を構成する各部の動作を制御する。例えば、ＣＰＵ１０１は、操作表示部１２に表示された調整画面の内容に対するユーザーによる指示の内容に基づいて、後処理設定プロファイルの内容を変更する。
【００３３】
ＲＯＭ１０２には、ＣＰＵ１０１によって行われる演算を実行するためのプログラム（ソフトウェア）が格納される。ＲＡＭ１０３は、ＣＰＵ１０１がプログラムを実行する際の作業領域として使用される。
【００３４】
記憶部１１０は、例えば、ＨＤＤ（Hard Disk Drive）、ＳＳＤ（Solid State Drive）等で構成される。記憶部１１０には、後処理プロファイル１１１が格納される。後処理プロファイル１１１は、後処理装置２０が行う後処理の設定情報であり、天地スリット、クリース、ＣＤ断裁等の後処理の各設定項目及びその設定値を含む。
【００３５】
ネットワークＩ／Ｆ部１２０は、ＮＩＣ（Network Interface Card）、モデム等で構成され、不図示の公衆回線等に接続される。ネットワークＩ／Ｆ部１２０は、ユーザーによって操作される不図示の端末装置等から送信される原稿データ等を受信する。
【００３６】
後処理装置Ｉ／Ｆ部１３０は、例えばシリアルＩ／Ｆ等で構成され、後処理装置２０に接続される。後処理装置Ｉ／Ｆ部１３０は、後処理装置２０との間で行われる後処理プロファイル１１１等の各種データや信号等の送受信動作を制御する。
【００３７】
スキャナ部１１、操作表示部１２及びプリンタ部１４については図１を参照して説明済みであるため、ここでは説明は省略する。ファックス部１４０は、スキャナ部１１が読み取ったスキャンデータを、ネットワークＩ／Ｆ部１２０を介して不図示のファックス端末に送信する処理、及び、ファックス端末から送信されてくる画像データを受信してプリンタ部１４に出力する処理を行う。
【００３８】
表示制御部１５０は、ユーザーにより操作表示部１２に入力される操作の内容に基づいて、操作表示部１２に操作画面等の画面を表示させる制御を行う。例えば、表示制御部１５０は、プリンタ部１４による、後処理プロファイル１１１が適用された印刷ジョブに基づく試し印刷の実施に際して、操作表示部１２に調整画面を表示させる制御を行う。このとき、表示制御部１５０は、該印刷ジョブの本印刷が完了しているか否かの情報に基づいて、調整画面に表示させる内容を変更する。具体的には、本印刷が完了している場合には、表示制御部１５０は、後処理プロファイル１１１に含まれる設定項目のうちの一部の設定項目を調整画面に表示させる制御を行う。本印刷が完了していない場合には、表示制御部１５０は、後処理プロファイル１１１に含まれる全ての設定項目を調整画面に表示させる制御を行う。
【００３９】
［後処理装置で行われる後処理の種類］
次に、図３を参照して、後処理装置２０で行われる後処理の種類について説明する。図３は、後処理装置で行われる後処理の種類の例を示す表である。
【００４０】
図３の表には、ＮＯ．１〜ＮＯ．８の８種類の後処理の例を示す。ＮＯ．１は「（１）四方断裁」であり、ＮＯ．２は「（２）複数断裁」であり、ＮＯ．３は「（１）四方断裁＆（３）クリース」である。また、ＮＯ．４は「（１）四方断裁＆（４）ミシン」であり、ＮＯ．５は「（１）四方断裁＆（３）クリース」であり、ＮＯ．６は「（２）複数断裁（カード）」である。さらに、ＮＯ．７は「（２）複数断裁（名刺）」であり、ＮＯ．８は「（２）複数断裁＆（４）ミシン」である。
【００４１】
例えば、ＮＯ．１の「（１）四方断裁」、ＮＯ．２の「複数断裁」は、シート、フライヤー、チラシ、バナー等の出力物を生成する際に行われる後処理である。ＮＯ．１の「（１）四方断裁」においては、ＦＤ断裁部２１（図１参照）によって用紙Ｓｈの両端がＦＤ断裁された後に、ＣＤ断裁部２４によって用紙Ｓｈの両端がＣＤ断裁される。
【００４２】
また、例えば、ＮＯ．３の「（１）四方断裁＆（３）クリース」は、バナー、ブックカバー、リーフレット、カタログ、パンフレット、フォトアルバム、ブックレット等の出力物を生成する際に行われる後処理である。ＮＯ．３の「（１）四方断裁＆（３）クリース」においては、ＦＤ断裁部２１によって用紙Ｓｈの両端がＦＤ断裁された後に、第２後処理部２２のクリース部２２１によって折り目が付けられる。そして、ＣＤ断裁部２４によって用紙Ｓｈの両端がＣＤ断裁される。
【００４３】
また、例えば、ＮＯ．４の「（１）四方断裁＆（４）ミシン」は、シート、フライヤー、チラシ等の出力物を生成する際に行われる後処理である。ＮＯ．４の「（１）四方断裁＆（４）ミシン」においては、まず、ＦＤ断裁部２１によって用紙Ｓｈの両端がＦＤ断裁され、その後、第２後処理部２２のＣＤミシン部２２２によって、ＣＤ方向にミシン目が形成される。次いで、第３後処理部２３のＦＤミシン部２３１によって、用紙ＳｈのＦＤ方向にミシン目が形成され、ＣＤ断裁部２４によって用紙Ｓｈの両端がＣＤ断裁される。
【００４４】
用紙Ｓｈに対して後処理装置２０によって実行される後処理の種類や、後処理の用紙Ｓｈへの形成位置等は、後処理プロファイル１１１に設定される。後処理プロファイル１１１の作成は、画像形成装置１０の操作表示部１２に表示される後処理プロファイル作成画面を介して、ユーザーによって行われる。
【００４５】
［後処理プロファイルの作成例］
次に、図４を参照して、ユーザーによる後処理プロファイル作成例について説明する。図４は、後処理プロファイル作成画面の例を示す図である。
【００４６】
図４に示す後処理プロファイル作成画面Ｓｃ１の右側には、後処理プロファイル１１１の設定内容として、「設定情報」及び「断裁設定」の各項目が表示されている。「設定情報」には、用紙Ｓｈの用紙サイズは“２９７×２１０”であり、断裁種類は“詳細設定”であることが示されている。
【００４７】
「断裁設定」には、「仕上り寸法（横幅）」、「仕上り寸法（縦幅）」、「先端位置」、「上端位置」、「面付け数（横方向）」、「面付け数（縦方向）」、「クリース位置１」、「ドブ断ち幅（横方向）」及び「ドブ断ち幅（縦方向）」の各設定項目及び設定値が表示されている。
【００４８】
後処理プロファイル作成画面Ｓｃ１の左側には、「断裁設定」の欄で設定された各設定内容を反映した用紙Ｓｈの状態が表示されている。ユーザーは、後処理の各設定内容が反映された用紙Ｓｈの状態を確認しながら、各設定項目の設定値に所望の値を入力することにより、後処理プロファイル１１１を作成することができる。
【００４９】
一方、印刷ジョブに適用された後処理プロファイル１１１の調整は、画像形成装置１０の操作表示部１２に表示される調整画面を介して、ユーザーによって行われる。調整画面は、表示制御部１５０（図２参照）の制御に基づいて、試し印刷の実行中又は実行後に操作表示部１２に表示される。
【００５０】
［表示制御部による表示制御］
次に、調整画面を表示する際の表示制御部１５０による表示制御について、図５〜図８を参照しながら説明する。図５は、ジョブリスト画面の例を示す図であり、図６は、出力方法選択画面の例を示す図である。図７は、本印刷未完了時に表示される調整画面の例を示す図であり、図８は、本印刷完了時に表示される調整画面の例を示す図である。
【００５１】
試し印刷又は本印刷を行いたい場合、ユーザーは、まず図５に示すジョブリスト画面Ｓｃ２を操作表示部１２に表示させる指示（操作）を、操作表示部１２の操作部に対して入力する。この指示に基づいて、表示制御部１５０は、操作表示部１２にジョブリスト画面Ｓｃ２を表示させる制御を行う。
【００５２】
ユーザーによって、ジョブリスト画面Ｓｃ２の一時保存ジョブボタンＢｎ１が押下されると、表示制御部１５０は、画像形成装置１０の記憶部１１０等に記憶された一時保存ジョブを、一時保存ジョブ一覧Ｌｔとして画面に表示させる制御を行う。
【００５３】
ユーザーは、一時保存ジョブ一覧Ｌｔの中から、試し印刷又は本印刷したい印刷ジョブを選択し、画面右下にある出力ボタンＢｎ２を押下することにより、選択した印刷ジョブの印刷を指示することができる。
【００５４】
ユーザーにより出力ボタンＢｎ２が押下されると、表示制御部１５０は、図６に示す出力方法選択画面Ｓｃ３をポップアップ表示させる制御を行う。出力方法選択画面Ｓｃ３の上方には、「出力方法を選択して下さい」というメッセージが表示されており、その下方には、通常ボタンＢｎ３、プルーフ（先頭１枚）ボタンＢｎ４、プルーフボタンＢｎ５等が表示されている。
【００５５】
通常ボタンＢｎ３は、本印刷の出力の指示を受け付けるボタンであり、プルーフ（先頭１枚）ボタンＢｎ４は、試し印刷の先頭の１枚のみを印刷して印刷を停止する指示を受け付けるボタンである。プルーフボタンＢｎ５は、試し印刷の１部のみを印刷して停止する指示を受け付けるボタンである。
【００５６】
通常ボタンＢｎ３、プルーフ（先頭１枚）ボタンＢｎ４、プルーフボタンＢｎ５のいずれかのボタンがユーザーによって押下（選択）された後に、出力方法選択画面Ｓｃ３の右下端のＯＫボタンＢｎ６が押下された場合、表示制御部１５０は、制御部１００（図２参照）に対して、ユーザーにより選択された印刷形式の内容を送信する。そして、制御部１００からプリンタ部１４に対して、ユーザーにより選択された印刷形式での印刷が指示される。
【００５７】
ユーザーによって、プルーフ（先頭１枚）ボタンＢｎ４が押下された場合、表示制御部１５０は、試し印刷の先頭の１枚が出力された後に、調整画面をポップアップ表示させる制御を行う。プルーフボタンＢｎ５が押下された場合には、表示制御部１５０は、試し印刷の実行中、又は、試し印刷が１枚である場合にはその１枚の出力が完了した後に、調整画面をポップアップ表示させる制御を行う。
【００５８】
表示制御部１５０は、ユーザーによってプルーフ（先頭１枚）ボタンＢｎ４又はプルーフボタンＢｎ５が押下されたことを検知した場合、試し印刷を行う印刷ジョブに基づく本印刷が、過去に既に完了しているか否かを判定する。試し印刷を行う印刷ジョブに基づく本印刷が過去に既に完了しているか否かの情報は、例えば、後処理プロファイル１１１内の本印刷完了フラグ（図示略）の設定の有無によって管理される。
【００５９】
本印刷完了フラグがセットされている場合、表示制御部１５０は、試し印刷を行う印刷ジョブに基づく本印刷が完了していると判断し、操作表示部１２に図７に示す調整画面Ｓｃ４を表示させる制御を行う。図７に示す調整画面Ｓｃ４の上方には、「この後処理プロファイルを適用した本印刷は完了しています」というメッセージが表示される。そのメッセージの下方には、「断裁設定」の項目として、「先端位置」及び「上端位置」の２つの設定項目のみが表示される。
【００６０】
ここで、図８を参照して、後処理プロファイル１１１の設定項目における「先端位置」及び「上端位置」について説明する。図８は、後処理プロファイル１１１の設定項目における先端位置及び上端位置を説明する図である。図８に示すように、先端位置Ｐｓ１は、用紙Ｓｈに形成される画像の、ＦＤ方向と直交するＣＤ方向に平行な辺のうちのＦＤ方向における先端（図中の左側）の辺（第１の辺の一例）の位置である。上端位置Ｐｓ２は、用紙Ｓｈに形成される画像の、ＦＤ方向に平行な辺のうちの奥側（図中の上側）の辺（第２の辺の一例）位置である。
【００６１】
本印刷が完了した後に行われる後処理プロファイル１１１の調整としては、画像形成装置１０の個体差等に起因する微妙な紙のズレを直す微調整が行われることが多い。本実施形態では、本印刷の完了後に表示される調整画面において、設定項目が「先端位置」及び「上端位置」のみに絞られるため、本実施形態によれば、本印刷の完了後に必要な後処理プロファイル１１１の微調整を、ユーザーが容易に行えるようになる。
【００６２】
一方、本印刷完了フラグがセットされていない場合には、表示制御部１５０は、試し印刷を行う印刷ジョブに基づく本印刷がまだ完了していないと判断し、図９に示す調整画面Ｓｃ５を表示させる制御を行う。図９に示す調整画面Ｓｃ５の上方には、「この後処理プロファイルを適用した本印刷は完了していません」というメッセージが表示される。そのメッセージの下方には、「断裁設定」の項目として、後処理プロファイル１１１に含まれる全ての設定項目が表示される。したがって、本印刷が完了していない間は、ユーザーは、任意の設定項目の値を自由に設定し直すことができる。
【００６３】
［画像形成装置による表示制御方法］
次に、図１０〜図１４を参照して、画像形成装置１０による表示制御方法について説明する。図１０〜図１４は、画像形成装置１０による表示制御方法の手順の例を示すフローチャートである。
【００６４】
まず、画像形成装置１０の表示制御部１５０は、ジョブリスト画面Ｓｃ２（図５参照）の表示が指示されたか否かを判定する（図１０のステップＳ１）。ステップＳ１で、ジョブリスト画面Ｓｃ２の表示は指示されていないと判定された場合（ステップＳ１がＮＯ判定の場合）、表示制御部１５０は、ステップＳ１の判定を繰り返す。一方、ステップＳ１で、ジョブリスト画面Ｓｃ２の表示が指示されたと判定された場合（ステップＳ１がＹＥＳ判定の場合）、表示制御部１５０は、操作表示部１２にジョブリスト画面Ｓｃ２を表示させる制御を行う（ステップＳ２）。
【００６５】
次いで、表示制御部１５０は、ユーザーによって一時保存ジョブボタンＢｎ１（図５参照）が押下されたか否かを判定する（ステップＳ３）。ステップＳ３で、一時保存ジョブボタンＢｎ１は押下されていないと判定された場合（ステップＳ３がＮＯ判定の場合）、表示制御部１５０は、ステップＳ３の判定を繰り返す。一方、ステップＳ３で、一時保存ジョブボタンＢｎ１は押下されたと判定された場合（ステップＳ３がＹＥＳ判定の場合）、表示制御部１５０は、操作表示部１２に一時保存ジョブ一覧Ｌｔを表示させる制御を行う（ステップＳ４）。
【００６６】
次いで、表示制御部１５０は、一時保存ジョブ一覧Ｌｔの中から特定の印刷ジョブが選択されたか否かを判定する（ステップＳ５）。ステップＳ５で、特定の印刷ジョブは選択されていないと判定された場合（ステップＳ５がＮＯ判定の場合）、表示制御部１５０は、ステップＳ５の判定を繰り返す。一方、ステップＳ５で、特定の印刷ジョブは選択されたと判定された場合（ステップＳ５がＹＥＳ判定の場合）、表示制御部１５０は、ユーザーによって出力ボタンＢｎ２が押下されたか否かを判定する（ステップＳ６）。
【００６７】
ステップＳ６で、出力ボタンＢｎ２は押下されていないと判定された場合（ステップＳ６がＮＯ判定の場合）、表示制御部１５０は、ステップＳ６の判定を繰り返す。一方、ステップＳ６で、出力ボタンＢｎ２は押下されたと判定された場合（ステップＳ６がＹＥＳ判定の場合）、表示制御部１５０は、操作表示部１２に出力方法選択画面Ｓｃ３（図６参照）を表示させる制御を行う（ステップＳ７）。
【００６８】
次いで、表示制御部１５０は、出力方法選択画面Ｓｃ３において、ユーザーによって通常ボタンＢｎ３（図６参照）が押下されたか否かを判定する（図１１のステップＳ８）。ステップＳ８で、通常ボタンＢｎ３が押下されたと判定された場合（ステップＳ８がＹＥＳ判定の場合）、表示制御部１５０は、キャンセルボタンが押下されたか否かを判定する（ステップＳ９）。ステップＳ９で、キャンセルボタンが押下されたと判定された場合（ステップＳ９がＹＥＳ判定の場合）、表示制御部１５０は、ステップＳ８に戻って判定を行う。
【００６９】
一方、ステップＳ９で、キャンセルボタンは押下されていないと判定された場合（ステップＳ９がＮＯ判定の場合）、表示制御部１５０は、ＯＫボタンＢｎ６が押下されたか否かを判定する（ステップＳ１０）。ステップＳ１０で、ＯＫボタンＢｎ６は押下されていないと判定された場合（ステップＳ１０がＮＯ判定の場合）、表示制御部１５０は、ステップＳ９に戻って判定を行う。一方、ステップＳ１０で、ＯＫボタンＢｎ６が押下されたと判定された場合（ステップＳ１０がＹＥＳ判定の場合）、表示制御部１５０は、図１２に示す処理を行う。図１２に示す処理については後述する。
【００７０】
ステップＳ８で、通常ボタンＢｎ３は押下されていないと判定された場合（ステップＳ８がＮＯ判定の場合）、表示制御部１５０は、プルーフ（先頭１枚）ボタンＢｎ４（図６参照）が押下されたか否かを判定する（ステップＳ１１）。ステップＳ１１で、プルーフ（先頭１枚）ボタンＢｎ４が押下されたと判定された場合（ステップＳ１１がＹＥＳ判定の場合）、表示制御部１５０は、キャンセルボタンが押下されたか否かを判定する（ステップＳ１２）。ステップＳ１２で、キャンセルボタンが押下されたと判定された場合（ステップＳ１２がＹＥＳ判定の場合）、表示制御部１５０は、ステップＳ８に戻って判定を行う。
【００７１】
一方、ステップＳ１２で、キャンセルボタンは押下されていないと判定された場合（ステップＳ１２がＮＯ判定の場合）、表示制御部１５０は、ＯＫボタンＢｎ６が押下されたか否かを判定する（ステップＳ１３）。ステップＳ１３で、ＯＫボタンＢｎ６は押下されていないと判定された場合（ステップＳ１３がＮＯ判定の場合）、表示制御部１５０は、ステップＳ１２に戻って判定を行う。一方、ステップＳ１３で、ＯＫボタンＢｎ６が押下されたと判定された場合（ステップＳ１３がＹＥＳ判定の場合）、表示制御部１５０は、図１３に示す処理を行う。図１３に示す処理については後述する。
【００７２】
ステップＳ１１で、プルーフ（先頭１枚）ボタンＢｎ４は押下されていないと判定された場合（ステップＳ１１がＮＯ判定の場合）、表示制御部１５０は、プルーフボタンＢｎ５（図６参照）が押下されたか否かを判定する（ステップＳ１４）。ステップＳ１４で、プルーフボタンＢｎ５が押下されたと判定された場合（ステップＳ１４がＹＥＳ判定の場合）、表示制御部１５０は、キャンセルボタンが押下されたか否かを判定する（ステップＳ１５）。ステップＳ１５で、キャンセルボタンが押下されたと判定された場合（ステップＳ１５がＹＥＳ判定の場合）、表示制御部１５０は、ステップＳ８に戻って判定を行う。
【００７３】
一方、ステップＳ１５で、キャンセルボタンは押下されていないと判定された場合（ステップＳ１５がＮＯ判定の場合）、表示制御部１５０は、ＯＫボタンＢｎ６が押下されたか否かを判定する（ステップＳ１６）。ステップＳ１６で、ＯＫボタンＢｎ６は押下されていないと判定された場合（ステップＳ１６がＮＯ判定の場合）、表示制御部１５０は、ステップＳ１５に戻って判定を行う。一方、ステップＳ１６で、ＯＫボタンＢｎ６が押下されたと判定された場合（ステップＳ１６がＹＥＳ判定の場合）、表示制御部１５０は、図１４に示す処理を行う。図１４に示す処理については後述する。
【００７４】
次に、図１２を参照して、通常ボタンＢｎ３が押下された後にＯＫボタンＢｎ６が押下された場合（図１１のステップＳ１０がＹＥＳ判定の場合）の処理について説明する。
【００７５】
まず、画像形成装置１０の制御部１００は、通常ボタンＢｎ３の押下により印刷が指示された印刷ジョブは、後処理装置２０での後処理を要するジョブであるか否かを判定する（ステップＳ２１）。ステップＳ２１で、後処理を要するジョブであると判定された場合（ステップＳ２１がＹＥＳ判定の場合）、後処理装置Ｉ／Ｆ部１３０（図２参照）は、後処理装置２０との通信を開始する（ステップＳ２２）。
【００７６】
次いで、プリンタ部１４は１ページの印刷を行う（ステップＳ２３）。ステップＳ２１で、後処理装置２０での後処理を要さないジョブであると判定された場合（ステップＳ２１がＮＯ判定の場合）にも、ステップＳ２３の処理が行われる。次いで、制御部１００は、印刷ジョブの全てのページの印刷が完了したか否かを判定する（ステップＳ２４）。ステップＳ２４で、全てのページの印刷は完了していないと判定された場合（ステップＳ２４がＮＯ判定の場合）、制御部１００は、ステップＳ２３に処理を戻す。つまり、プリンタ部１４によって１ページの印刷が行われる。
【００７７】
一方、ステップＳ２４で、全てのページの印刷が完了したと判定された場合（ステップＳ２４がＹＥＳ判定の場合）、制御部１００は、印刷が完了した印刷ジョブは、後処理プロファイル１１１に基づく後処理が実行されたジョブであるか否かを判定する（ステップＳ２５）。
【００７８】
ステップＳ２５で、後処理が実行されたジョブであると判定された場合（ステップＳ２５がＹＥＳ判定の場合）、制御部１００は、後処理プロファイル１１１に本印刷完了フラグをセットする（ステップＳ２６）。ステップＳ２６の処理後、表示制御処理は終了する。ステップＳ２５で、後処理が実行されたジョブではないと判定された場合（ステップＳ２５がＮＯ判定の場合）にも、表示制御処理は終了する。
【００７９】
次に、図１３を参照して、プルーフ（先頭１枚）ボタンＢｎ４が押下された後にＯＫボタンＢｎ６が押下された場合（図１１のステップＳ１３がＹＥＳ判定の場合）の処理について説明する。
【００８０】
まず、画像形成装置１０の制御部１００は、プルーフ（先頭１枚）ボタンＢｎ４が押下することにより印刷が指示された印刷ジョブは、後処理装置２０での後処理を要するジョブであるか否かを判定する（ステップＳ３１）。ステップＳ３１で、後処理を要するジョブであると判定された場合（ステップＳ３１がＹＥＳ判定の場合）、後処理装置Ｉ／Ｆ部１３０は、後処理装置２０との通信を開始する（ステップＳ３２）。
【００８１】
次いで、プリンタ部１４は１ページの印刷を行う（ステップＳ３３）。ステップＳ３１で、後処理装置２０での後処理を要さないジョブであると判定された場合（ステップＳ３１がＮＯ判定の場合）にも、ステップＳ３３の処理が行われる。次いで、制御部１００は、印刷ジョブの１ページの印刷が完了したか否かを判定する（ステップＳ３４）。ステップＳ３４で、１ページの印刷は完了していないと判定された場合（ステップＳ３４がＮＯ判定の場合）、制御部１００は、ステップＳ３３に処理を戻す。つまり、プリンタ部１４によって１ページの印刷が行われる。
【００８２】
一方、ステップＳ３４で、１ページの印刷が完了したと判定された場合（ステップＳ３４がＹＥＳ判定の場合）、制御部１００は、１ページの印刷が完了した印刷ジョブは、後処理プロファイル１１１に基づく後処理が実行されたジョブであるか否かを判定する（ステップＳ３５）。ステップＳ３５で、後処理が実行されたジョブではないと判定された場合（ステップＳ３５がＮＯ判定の場合）、制御部１００は、表示制御処理を終了する。
【００８３】
一方、ステップＳ３５で、後処理が実行されたジョブであると判定された場合（ステップＳ３５がＹＥＳ判定の場合）、制御部１００は、後処理プロファイル１１１に本印刷完了フラグがセットされているか否かを判定する（ステップＳ３６）。
【００８４】
ステップＳ３６で、本印刷完了フラグがセットされていると判定された場合（ステップＳ３６がＹＥＳ判定の場合）、表示制御部１５０は、用紙Ｓｈにおける画像形成位置の先端位置及び上端位置のみを調整できる調整画面Ｓｃ４（図７参照）を操作表示部１２に表示させる制御を行う（ステップＳ３７）。ステップＳ３７の処理後、表示制御処理は終了する。
【００８５】
一方、ステップＳ３６で、本印刷完了フラグはセットされていないと判定された場合（ステップＳ３６がＮＯ判定の場合）、表示制御部１５０は、全ての設定項目を調整できる調整画面Ｓｃ５（図８参照）を操作表示部１２に表示させる制御を行う（ステップＳ３８）。ステップＳ３８の処理後、表示制御処理は終了する。
【００８６】
次に、図１４を参照して、プルーフボタンＢｎ５が押下された後にＯＫボタンＢｎ６が押下された場合（図１１のステップＳ１６がＹＥＳ判定の場合）の処理について説明する。
【００８７】
まず、画像形成装置１０の制御部１００は、プルーフボタンＢｎ５の押下により印刷が指示された印刷ジョブは、後処理装置２０での後処理を要するジョブであるか否かを判定する（ステップＳ４１）。ステップＳ４１で、後処理を要するジョブであると判定された場合（ステップＳ４１がＹＥＳ判定の場合）、後処理装置Ｉ／Ｆ部１３０は、後処理装置２０との通信を開始する（ステップＳ４２）。
【００８８】
次いで、プリンタ部１４は１ページの印刷を行う（ステップＳ４３）。ステップＳ４１で、後処理装置２０での後処理を要さないジョブであると判定された場合（ステップＳ４１がＮＯ判定の場合）にも、ステップＳ４３の処理が行われる。次いで、制御部１００は、印刷ジョブの１ページの印刷が完了したか否かを判定する（ステップＳ４４）。ステップＳ４４で、１ページの印刷は完了していないと判定された場合（ステップＳ４４がＮＯ判定の場合）、制御部１００は、ステップＳ４３に処理を戻す。つまり、プリンタ部１４によって１ページの印刷が行われる。
【００８９】
一方、ステップＳ４４で、１ページの印刷が完了したと判定された場合（ステップＳ４４がＹＥＳ判定の場合）、制御部１００は、１ページの印刷が完了した印刷ジョブは、後処理プロファイル１１１に基づく後処理が実行されたジョブであるか否かを判定する（ステップＳ４５）。
【００９０】
ステップＳ４５で、後処理が実行されたジョブでないと判定された場合（ステップＳ４５がＮＯ判定の場合）、制御部１００は、試し印刷の１部の印刷は完了したか否かを判定する（ステップＳ４６）。ステップＳ４６で、試し印刷の１部の印刷は完了していないと判定された場合（ステップＳ４６がＮＯ判定の場合）、プリンタ部１４は１ページを印刷する（ステップＳ４７）。ステップＳ４７の処理後、制御部１００はステップＳ４６の判定を行う。一方、ステップＳ４６で、試し印刷の１部の印刷が完了したと判定された場合（ステップＳ４６がＹＥＳ判定の場合）、表示制御処理は終了する。
【００９１】
ステップＳ４５で、後処理が実行されたジョブであると判定された場合（ステップＳ４５がＹＥＳ判定の場合）、制御部１００は、後処理プロファイル１１１に本印刷完了フラグがセットされているか否かを判定する（ステップＳ４８）。
【００９２】
ステップＳ４８で、本印刷完了フラグがセットされていると判定された場合（ステップＳ４８がＹＥＳ判定の場合）、表示制御部１５０は、用紙Ｓｈにおける画像形成位置の画像形成位置の先端位置及び上端位置のみを調整できる調整画面Ｓｃ４（図７参照）を操作表示部１２に表示させる制御を行う（ステップＳ４９）。ステップＳ４９の処理後、制御部１００はステップＳ４６の判定を行う。
【００９３】
一方、ステップＳ４８で、本印刷完了フラグはセットされていないと判定された場合（ステップＳ４８がＮＯ判定の場合）、表示制御部１５０は、全ての設定項目を調整できる調整画面Ｓｃ５（図８参照）を操作表示部１２に表示させる制御を行う（ステップＳ５０）。ステップＳ５０の処理後、制御部１００はステップＳ４６の判定を行う。
【００９４】
上述した第１の実施形態では、プリンタ部１４による、後処理プロファイル１１１が適用された印刷ジョブに基づく試し印刷の実施に際して、後処理プロファイル１１１に含まれる設定項目のうちの一部の設定項目が、表示制御部１５０によって操作表示部１２の調整画面Ｓｃ４に表示される。したがって、本実施形態によれば、ユーザーは、印刷ジョブに適用された後処理プロファイル１１１の調整を容易に行えるようになる。
【００９５】
また、上述した第１の実施形態では、表示制御部１５０が、試し印刷の実行中又は試し印刷の実行後に、後処理プロファイル１１１に含まれる設定項目のうちの一部の設定項目を操作表示部１２の調整画面Ｓｃ４に表示させる制御を行う。これにより、ユーザーは、試し印刷が行われた出力物の仕上がりを確認した上で、後処理プロファイル１１１の設定項目の調整を行うことができる。
【００９６】
また、上述した第１の実施形態では、表示制御部１５０は、後処理プロファイル１１１が適用された印刷ジョブに基づく本印刷が完了していない場合、後処理プロファイル１１１に含まれる全ての設定項目を調整画面Ｓｃ５に表示させる制御を行う。これにより、ユーザーは、本印刷が完了していない間は、後処理プロファイル１１１の設定項目を自由に調整することができる。
【００９７】
さらに、上述した第１の実施形態では、表示制御部１５０は、後処理プロファイル１１１が適用された印刷ジョブに基づく本印刷が完了している場合、後処理プロファイルに含まれる設定項目のうち、用紙ＳｈのＦＤ方向と直交するＣＤ方向に平行な辺のうちの一方の辺である第１の辺の位置Ｐｓ１を調整する設定項目、及び、第１の辺と直交する辺である第２の辺の位置Ｐｓ２を調整する設定項目を、調整画面Ｓｃ４に表示させる制御を行う。本印刷が完了した後に行われる後処理プロファイル１１１の調整としては、画像形成装置１０の個体差等に起因する微妙な紙のズレを直す微調整が行われることが多い。したがって、本実施形態によれば、本印刷の完了後に必要な後処理プロファイル１１１の微調整を、ユーザーが容易に行えるようになる。
【００９８】
＜第２の実施形態＞
［印刷システムの構成］
次に、図１５を参照して、第２の実施形態に係る画像形成ステムを含む印刷システムの構成について説明する。図１５は、印刷システム１０００の概要構成図である。
【００９９】
図１５に示すように、印刷システム１０００は、画像形成装置１０及び後処理装置２０よりなる画像形成システム１、及び、印刷指示装置３０（情報処理装置の一例）を備える。画像形成システム１及び印刷指示装置３０は、ネットワークＮを介して接続される。
【０１００】
画像形成システム１の構成については、上述した第１の実施形態における構成と同一であるため、ここでは説明を省略する。印刷指示装置３０は、印刷ジョブの管理を行うとともに、画像形成装置１０に印刷ジョブを投入する。
【０１０１】
［印刷指示装置の制御系の構成］
次に、図１６を参照して、印刷指示装置３０の制御系の構成例について説明する。図１６は、印刷指示装置３０の制御系の構成例を示すブロック図である。
【０１０２】
図１６に示すように、印刷指示装置３０は、制御部３００、記憶部３１０、ネットワークＩ／Ｆ部３２０、表示部３３０、操作入力部３４０及び表示制御部３５０を備える。
【０１０３】
制御部３００は、ＣＰＵ３０１、ＲＯＭ３０２及びＲＡＭ３０３を備える。ＣＰＵ３０１は、印刷指示装置３０を構成する各部の動作を制御する。例えば、ＣＰＵ３０１は、表示部３３０に表示された調整画面の内容に対するユーザーによる指示の内容に基づいて、後処理設定プロファイルの内容を変更する。
【０１０４】
ＲＯＭ３０２には、ＣＰＵ３０１によって行われる演算を実行するためのプログラム（ソフトウェア）が格納される。ＲＡＭ３０３は、ＣＰＵ３０１がプログラムを実行する際の作業領域として使用される。記憶部３１０は、例えば、ＨＤＤ、ＳＳＤ等で構成される。記憶部３１０には、後処理プロファイル１１１が格納される。
【０１０５】
ネットワークＩ／Ｆ部３２０は、ＮＩＣ、モデム等で構成され、不図示の公衆回線等に接続される。ネットワークＩ／Ｆ部３２０は、ユーザーによって操作される不図示の端末装置等から送信される原稿データ等を受信する。
【０１０６】
表示部３３０は、液晶パネル等からなり、表示制御部３５０の制御に基づいて後処理プロファイルの調整画面等を表示する。操作入力部３４０は、マウスやキーボード等のＵＩ（User Interface）で構成され、これらのＵＩに対するユーザーによる操作の内容に応じた操作信号を生成して、該操作信号を制御部３００に供給する。
【０１０７】
表示制御部３５０は、ユーザーにより操作入力部３４０に入力される操作の内容に基づいて、表示部３３０に操作画面等の画面を表示させる制御を行う。例えば、表示制御部３５０は、画像形成装置１０による、後処理プロファイル１１１が適用された印刷ジョブに基づく試し印刷の実施に際して、表示部３３０に調整画面を表示させる制御を行う。このとき、表示制御部３５０は、該印刷ジョブの本印刷が完了しているか否かの情報に基づいて、調整画面に表示させる内容を変更する。具体的には、本印刷が完了している場合には、表示制御部３５０は、後処理プロファイル１１１に含まれる設定項目のうちの一部の設定項目を調整画面に表示させる（図７の調整画面Ｓｃ４を表示させる）制御を行う。本印刷が完了していない場合には、表示制御部３５０は、後処理プロファイル１１１に含まれる全ての設定項目を調整画面に表示させる（図９の調整画面Ｓｃ５を表示させる）制御を行う。
【０１０８】
［印刷システムによる表示制御方法］
次に、図１７〜図１９を参照して、印刷システム１０００による表示制御方法について説明する。図１７〜図１９は、印刷システム１０００による表示制御方法の手順の例を示すフローチャートである。
【０１０９】
まず、印刷システム１０００の画像形成装置１０は、図１０及び図１１の処理を行う。図１０及び図１１の処理については説明済みであるため、ここでは説明を省略する。
【０１１０】
次に、図１７を参照して、通常ボタンＢｎ３（図６参照）が押下された後にＯＫボタンＢｎ６が押下された場合（図１１のステップＳ１０がＹＥＳ判定の場合）の処理について説明する。
【０１１１】
まず、画像形成装置１０の制御部１００は、通常ボタンＢｎ３の押下により印刷が指示された印刷ジョブは、後処理装置２０での後処理を要するジョブであるか否かを判定する（ステップＳ５１）。ステップＳ５１で、後処理を要するジョブであると判定された場合（ステップＳ５１がＹＥＳ判定の場合）、後処理装置Ｉ／Ｆ部１３０（図２参照）は、後処理装置２０との通信を開始する（ステップＳ５２）。
【０１１２】
次いで、プリンタ部１４は１ページの印刷を行う（ステップＳ５３）。ステップＳ５１で、後処理装置２０での後処理を要さないジョブであると判定された場合（ステップＳ５１がＮＯ判定の場合）にも、ステップＳ５３の処理が行われる。次いで、制御部１００は、印刷ジョブの全てのページの印刷が完了したか否かを判定する（ステップＳ５４）。ステップＳ５４で、全てのページの印刷は完了していないと判定された場合（ステップＳ５４がＮＯ判定の場合）、制御部１００は、ステップＳ５３に処理を戻す。つまり、プリンタ部１４によって１ページの印刷が行われる。
【０１１３】
一方、ステップＳ５４で、全てのページの印刷が完了したと判定された場合（ステップＳ５４がＹＥＳ判定の場合）、制御部１００は、印刷が完了した印刷ジョブは、後処理プロファイル１１１に基づく後処理が実行されたジョブであるか否かを判定する（ステップＳ５５）。ステップＳ５５で、後処理プロファイル１１１に基づく後処理が実行されたジョブではないと判定された場合（ステップＳ５５がＮＯ判定の場合）、制御部１００は表示制御処理を終了する。
【０１１４】
一方、ステップＳ５５で、後処理が実行されたジョブであると判定された場合（ステップＳ５５がＹＥＳ判定の場合）、制御部１００は、ネットワークＩ／Ｆ３２０を介して印刷指示装置３０に、本印刷完了を通知する（ステップＳ５６）。
【０１１５】
印刷指示装置３０は、画像形成装置１０から本印刷完了の通知を受信すると（ステップＳ５７）、記憶部３１０に記憶されている後処理プロファイル１１１に、本印刷完了フラグをセットする（ステップＳ５８）。ステップＳ５８の処理後、表示制御処理は終了する。
【０１１６】
次に、図１８を参照して、プルーフ（先頭１枚）ボタンＢｎ４（図６参照）が押下された後にＯＫボタンＢｎ６が押下された場合（図１１のステップＳ１３がＹＥＳ判定の場合）の処理について説明する。
【０１１７】
まず、画像形成装置１０の制御部１００は、プルーフ（先頭１枚）ボタンＢｎ４の押下により印刷が指示された印刷ジョブは、後処理装置２０での後処理を要するジョブであるか否かを判定する（ステップＳ６１）。ステップＳ６１で、後処理を要するジョブであると判定された場合（ステップＳ６１がＹＥＳ判定の場合）、後処理装置Ｉ／Ｆ部１３０は、後処理装置２０との通信を開始する（ステップＳ６２）。
【０１１８】
次いで、プリンタ部１４は１ページの印刷を行う（ステップＳ６３）。ステップＳ６１で、後処理装置２０での後処理を要さないジョブであると判定された場合（ステップＳ６１がＮＯ判定の場合）にも、ステップＳ６３の処理が行われる。次いで、制御部１００は、印刷ジョブの１ページの印刷が完了したか否かを判定する（ステップＳ６４）。ステップＳ６４で、１ページの印刷は完了していないと判定された場合（ステップＳ６４がＮＯ判定の場合）、制御部１００は、ステップＳ６３に処理を戻す。つまり、プリンタ部１４によって１ページの印刷が行われる。
【０１１９】
一方、ステップＳ６４で、１ページの印刷が完了したと判定された場合（ステップＳ６４がＹＥＳ判定の場合）、制御部１００は、１ページの印刷が完了した印刷ジョブは、後処理プロファイル１１１に基づく後処理が実行されたジョブであるか否かを判定する（ステップＳ６５）。ステップＳ６５で、後処理プロファイル１１１に基づく後処理が実行されたジョブではないと判定された場合（ステップＳ６５がＮＯ判定の場合）、制御部１００は表示制御処理を終了する。
【０１２０】
一方、ステップＳ６５で、後処理が実行されたジョブであると判定された場合（ステップＳ６５がＹＥＳ判定の場合）、制御部１００は、ネットワークＩ／Ｆ３２０を介して印刷指示装置３０に、試し印刷１ページの印刷完了を通知する（ステップＳ６６）。
【０１２１】
印刷指示装置３０は、試し印刷１ページの印刷完了を受信する（ステップＳ６７）。次いで、印刷指示装置３０の制御部３００は、記憶部３１０に格納された後処理プロファイル１１１に、本印刷完了フラグがセットされているか否かを判定する（ステップＳ６８）。
【０１２２】
ステップＳ６８で、本印刷完了フラグがセットされていると判定された場合（ステップＳ６８がＹＥＳ判定の場合）、表示制御部３５０は、用紙Ｓｈにおける画像形成位置の先端位置及び上端位置のみを調整できる調整画面Ｓｃ４（図７参照）を表示部３３０に表示させる制御を行う（ステップＳ６９）。ステップＳ６９の処理後、表示制御処理は終了する。
【０１２３】
一方、ステップＳ６８で、本印刷完了フラグはセットされていないと判定された場合（ステップＳ６８がＮＯ判定の場合）、表示制御部１５０は、全ての設定項目を調整できる調整画面Ｓｃ５（図８参照）を表示部３３０に表示させる制御を行う（ステップＳ７０）。ステップＳ７０の処理後、表示制御処理は終了する。
【０１２４】
次に、図１９を参照して、プルーフボタンＢｎ５（図６参照）が押下された後にＯＫボタンＢｎ６が押下された場合（図１１のステップＳ１６がＹＥＳ判定の場合）の処理について説明する。
【０１２５】
まず、画像形成装置１０の制御部１００は、プルーフボタンＢｎ５の押下により印刷が指示された印刷ジョブは、後処理装置２０での後処理を要するジョブであるか否かを判定する（ステップＳ８１）。ステップＳ８１で、後処理を要するジョブであると判定された場合（ステップＳ８１がＹＥＳ判定の場合）、後処理装置Ｉ／Ｆ部１３０は、後処理装置２０との通信を開始する（ステップＳ８２）。
【０１２６】
次いで、プリンタ部１４は１ページの印刷を行う（ステップＳ８３）。ステップＳ８１で、後処理装置２０での後処理を要さないジョブであると判定された場合（ステップＳ８１がＮＯ判定の場合）にも、ステップＳ８３の処理が行われる。次いで、制御部１００は、印刷ジョブの１ページの印刷が完了したか否かを判定する（ステップＳ８４）。ステップＳ８４で、１ページの印刷は完了していないと判定された場合（ステップＳ８４がＮＯ判定の場合）、制御部１００は、ステップＳ８３に処理を戻す。つまり、プリンタ部１４によって１ページの印刷が行われる。
【０１２７】
一方、ステップＳ８４で、１ページの印刷が完了したと判定された場合（ステップＳ８４がＹＥＳ判定の場合）、制御部１００は、１ページの印刷が完了した印刷ジョブは、後処理プロファイル１１１に基づく後処理が実行されたジョブであるか否かを判定する（ステップＳ８５）。
【０１２８】
ステップＳ８５で、後処理が実行されたジョブでないと判定された場合（ステップＳ８５がＮＯ判定の場合）、制御部１００は、試し印刷の１部の印刷は完了したか否かを判定する（ステップＳ８６）。ステップＳ８６で、試し印刷の１部の印刷は完了していないと判定された場合（ステップＳ８６がＮＯ判定の場合）、プリンタ部１４は１ページを印刷する（ステップＳ８７）。ステップＳ８７の処理後、制御部１００はステップＳ８６の判定を行う。一方、ステップＳ８６で、試し印刷の１部の印刷が完了したと判定された場合（ステップＳ８６がＹＥＳ判定の場合）、表示制御処理は終了する。
【０１２９】
ステップＳ８５で、後処理が実行されたジョブであると判定された場合（ステップＳ８５がＹＥＳ判定の場合）、制御部１００は、ネットワークＩ／Ｆ３２０を介して印刷指示装置３０に、試し印刷１ページの印刷完了を通知する（ステップＳ８８）。
【０１３０】
印刷指示装置３０は、試し印刷１ページの印刷完了を受信する（ステップＳ８９）。次いで、印刷指示装置３０の制御部３００は、記憶部３１０に格納された後処理プロファイル１１１に、本印刷完了フラグがセットされているか否かを判定する（ステップＳ９０）。
【０１３１】
ステップＳ９０で、本印刷完了フラグがセットされていると判定された場合（ステップＳ９０がＹＥＳ判定の場合）、表示制御部３５０は、用紙Ｓｈにおける画像形成位置の先端位置及び上端位置のみを調整できる調整画面Ｓｃ４（図７参照）を表示部３３０に表示させる制御を行う（ステップＳ９１）。ステップＳ９１の処理後、表示制御処理は終了する。
【０１３２】
一方、ステップＳ９０で、本印刷完了フラグはセットされていないと判定された場合（ステップＳ９０がＮＯ判定の場合）、表示制御部３５０は、全ての設定項目を調整できる調整画面Ｓｃ５（図８参照）を表示部３３０に表示させる制御を行う（ステップＳ９２）。ステップＳ９２の処理後、表示制御処理は終了する。
【０１３３】
上述した第２の実施形態によっても、第１の実施形態により得られる効果と同様の効果を得ることができる。
【０１３４】
なお、第２の実施形態では、後処理プロファイル１１１の調整を行う調整画面を、印刷指示装置３０の表示部３３０に表示させる例を挙げたが、本発明はこれに限定されない。印刷指示装置３０から画像形成装置１０に対して指示を行うこと等により、調整画面を画像形成装置１０の操作表示部１２に表示させてもよい。
【０１３５】
また、第２の実施形態では、本発明の情報処理装置を印刷指示装置３０に適用した例を挙げたが、本発明はこれに限定されない。後処理プロファイル１１１の管理を行うことが可能な装置であれば、例えば、ファイル管理サーバー等の他の装置に本発明の情報処理装置を適用してもよい。
【０１３６】
＜各種変形例＞
なお、本発明は上述した各種実施形態に限られるものではなく、特許請求の範囲に記載した本発明の要旨を逸脱しない限りにおいて、その他種々の応用例、変形例を取り得る。
【０１３７】
例えば、上述した各実施形態では、本印刷完了時に操作表示部１２（図２参照）又は表示部３３０（図１６参照）に表示させる調整画面Ｓｃ４（図７参照）において調整可能な位置が、図８に示す先端位置Ｐｓ１及び上端位置Ｐｓ２である例を示したが、本発明はこれに限定されない。本印刷完了時に調整可能な位置は、用紙Ｓｈに形成される画像の、用紙ＳｈのＦＤ方向と直交するＣＤ方向に平行な辺のうちの一方の辺である第１の辺の位置、及び、第１の辺と直交する辺である第２の辺の位置であれば、先端位置Ｐｓ１及び上端位置Ｐｓ２以外の位置であってもよい。
【０１３８】
また、例えば、上述した各実施の形態は本発明を分かりやすく説明するために装置及びシステムの構成を詳細かつ具体的に説明したものであり、必ずしも説明した全ての構成を備えるものに限定されない。また、本実施の形態の構成の一部について、他の構成を追加、削除、置換することも可能である。  また、図２、図１６等に実線で示す制御線や情報線等は説明上必要と考えられるものを示しており、製品上必ずしも全ての制御線や情報線を示しているとは限らない。実際には殆ど全ての構成が相互に接続されていると考えてもよい。
【符号の説明】
【０１３９】
１…画像形成システム、１０…画像形成装置、１２…操作表示部、１４…プリンタ部、２０…後処理装置、２１…ＦＤ断裁部、２２…第２後処理部、２３…第３後処理部、２４…ＣＤ断裁部、３０…印刷指示装置、１００…制御部、１１０…記憶部、１１１…後処理プロファイル、１２０…ネットワークＩ／Ｆ部、１３０…後処理装置Ｉ／Ｆ部、１５０…表示制御部、２２１…クリース部、２２２…ＣＤミシン部、２３１…ＦＤミシン部、２３２…ドブ断スリット部、３００…制御部、３１０…記憶部、３２０…ネットワークＩ／Ｆ部、３３０…表示部、３４０…操作入力部、３５０…表示制御部、１０００…印刷システム、Ｓｃ４、Ｓｃ５…調整画面
【図１】
2020121447.tif 000003
【図２】
2020121447.tif 000004
【図３】
2020121447.tif 000005
【図４】
2020121447.tif 000006
【図５】
2020121447.tif 000007
【図６】
2020121447.tif 000008
【図７】
2020121447.tif 000009
【図８】
2020121447.tif 000010
【図９】
2020121447.tif 000011
【図１０】
2020121447.tif 000012
【図１１】
2020121447.tif 000013
【図１２】
2020121447.tif 000014
【図１３】
2020121447.tif 000015
【図１４】
2020121447.tif 000016
【図１５】
2020121447.tif 000017
【図１６】
2020121447.tif 000018
【図１７】
2020121447.tif 000019
【図１８】
2020121447.tif 000020
【図１９】
2020121447.tif 000021